【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
液滴を吐出する複数のノズルが並ぶノズル列を有する記録ヘッドから前記液滴を吐出させ、連続的に配置されるドットで構成されるドット列を含む画像を形成するとき、
所定サイズのドットとこれより小さなサイズのドットとを組み合わせ、前記記録ヘッドのノズル列に直交する方向のドット列にくびれを形成し、かつ、前記記録ヘッドのノズル列に沿う方向では、互いに隣接するドット列の一方のドット列の前記くびれに対して山となる部分が他方のドット列のくびれに対応する位置に各ドットを配置することを特徴とする画像形成方法。
【請求項２】
請求項１に記載の画像形成方法において、前記所定サイズのドットとこれより小さなサイズのドットは前記記録ヘッドから異なる滴量の液滴を吐出させて形成することを特徴とする画像形成方法。
【請求項３】
請求項１又は２に記載の画像形成方法において、前記所定サイズのドットは前記記録ヘッドのノズル列に直交する方向で少なくとも１ドット以上の間隔を空けて配置することを特徴とする画像形成方法。
【請求項４】
請求項１ないし３のいずれかに記載の画像形成方法において、前記記録ヘッドのノズル列に沿う方向では、互いに隣接するドット列の一方のドット列の所定サイズのドットと他方のドット列の所定サイズのドットは前記記録ヘッドのノズル列に直交する方向で異なる位置に配置することを特徴とする画像形成方法。
【請求項５】
請求項１ないし４のいずれかに記載の画像形成方法において、
所定サイズのドットとこれより小さなサイズのドットは次の条件１及び条件２を満たし、かつ、
前記記録ヘッドから吐出する液滴によって形成可能な複数のサイズのドットの内で、前記所定サイズのドットとこれより小さなサイズのドットの各ドット径の和が、前記条件１及び条件２と満たす範囲内で最大である
ことを特徴とする画像形成方法。
＜条件１＞
前記所定サイズのドットとこれより小さいサイズのドットの各ドット径の和が、Ｎ（Ｎ＝２×（解像度ピッチ＋平均ドット形成位置ズレ量））以上であること。
＜条件２＞
記録媒体上に形成される画像が濃度ムラなく形成できる記録媒体の単位画素あたりの最大記録液滴付着量をＰｍ、所定サイズのドット１つ形成するのに必要な記録液滴量をＰｌ、所定サイズのドットより小さいサイズのドットを１つ形成するのに必要な記録液滴量をＰｓとしたとき、Ｐｍ≧（（Ｐｌ＋Ｐｓ）／２）の関係が成り立つこと。
を満たす。
【請求項６】
請求項１ないし４のいずれかに記載の画像形成方法において、
所定サイズのドットとこれより小さなサイズのドットの各ドット径の和がＮ（Ｎ＝２×（解像度ピッチ＋平均ドット形成位置ズレ量））以上であり、かつ、
所定サイズのドットは、少なくとも、ノズル列に直交する方向に、予め定めたＴドット以上の間隔を置いて形成され、
前記Ｔは、記録媒体上に形成される画像が濃度ムラなく形成できる記録媒体の単位画素あたりの最大記録液滴付着量をＰｍ、所定サイズのドット１つ形成するのに必要な記録液滴量をＰｌ、所定サイズのドットより小さいサイズのドットを１つ形成するのに必要な記録液滴量をＰｓとしたとき、Ｔ≧（Ｐｌ−Ｐｍ）／（Ｐｍ−Ｐｓ）の関係を満たす最も小さな正の整数である
ことを特徴とする画像形成方法。
【請求項７】
請求項１ないし６のいずれかに記載の画像形成方法において、前記所定サイズのドットが最大サイズのドットであることを特徴とする画像形成方法。
【請求項８】
請求項５ないし７のいずれかに記載の画像形成方法において、ドット形成位置ズレ情報に基づいて、前記Ｎ及びＴを変更することを特徴とする画像形成方法。
【請求項９】
請求項８に記載の画像形成方法において、環境情報に基づいて、前記Ｐｍ及びＴを変更することを特徴とする画像形成方法。
【請求項１０】
請求項８又は９に記載の画像形成方法において、印字解像度、パス数、インターレス数などの印字条件に応じて、前記Ｐｍ及びＴを変更することを特徴とする画像形成方法。
【請求項１１】
液滴を吐出する複数のノズルが並ぶノズル列を有する記録ヘッドから前記液滴を吐出させて記録媒体上に画像を形成する画像形成装置による画像形成処理をコンピュータに行わせるプログラムにおいて、
前記記録ヘッドから前記液滴を吐出させ、連続的に配置されるドットで構成されるドット列を含む画像を形成するとき、
所定サイズのドットとこれより小さなサイズのドットとを組み合わせ、前記記録ヘッドのノズル列に直交する方向のドット列にくびれを形成し、かつ、前記記録ヘッドのノズル列に沿う方向では、互いに隣接するドット列の一方のドット列の前記くびれに対して山となる部分が他方のドット列のくびれに対応する位置に各ドットを配置する
処理をコンピュータに実行させることを特徴とするプログラム。
【請求項１２】
請求項１１に記載のプログラムが格納されていることを特徴とする記憶媒体。
【請求項１３】
液滴を吐出する複数のノズルが並ぶノズル列を有する記録ヘッドから前記液滴を吐出させて記録媒体上に画像を形成する画像形成装置において、
前記記録ヘッドから前記液滴を吐出させ、連続的に配置されるドットで構成されるドット列を含む画像を形成するとき、
所定サイズのドットとこれより小さなサイズのドットとを組み合わせ、前記記録ヘッドのノズル列に直交する方向のドット列にくびれを形成し、かつ、前記記録ヘッドのノズル列に沿う方向では、互いに隣接するドット列の一方のドット列の前記くびれに対して山となる部分が他方のドット列のくびれに対応する位置に各ドットを配置する
ことを特徴とする画像形成装置。
【請求項１４】
液滴を吐出する複数のノズルが並ぶノズル列を有する記録ヘッドから前記液滴を吐出させて記録媒体上に画像を形成する画像形成システムにおいて、
前記記録ヘッドから前記液滴を吐出させ、連続的に配置されるドットで構成されるドット列を含む画像を形成するとき、
所定サイズのドットとこれより小さなサイズのドットとを組み合わせ、前記記録ヘッドのノズル列に直交する方向のドット列にくびれを形成し、かつ、前記記録ヘッドのノズル列に沿う方向では、互いに隣接するドット列の一方のドット列の前記くびれに対して山となる部分が他方のドット列のくびれに対応する位置に各ドットを配置する
ことを特徴とする画像形成システム。
【請求項１５】
請求項１４に記載の画像形成システムによって作成された記録物。
【請求項１６】
請求項１４に記載の画像形成システムに使用する記録媒体は、支持体と該支持体の少なくとも一方の面に塗工層を有する記録媒体であることを特徴とする画像形成システム。
【請求項１７】
請求項１６に記載の画像形成システムに使用する記録媒体は、２３℃５０％ＲＨにて動的走査吸液計で測定した接触時間１００ｍｓにおける前記インクの前記記録媒体への転移量が４〜１５ｍｌ／ｍ２であり、かつ接触時間４００ｍｓにおける前記インクの前記記録媒体への転移量が７〜２０ｍｌ／ｍ２であることを特徴とする画像形成システム。
【請求項１８】
請求項１６に記載の画像形成システムに使用する記録媒体は、少なくとも基材と塗工層から構成されており、該塗工層の固形分付着量が０．５〜２０．０ｇ／ｍ２であることを特徴とする画像形成システム。
【請求項１９】
請求項１４、１６ないし１８のいずれかに記載の画像形成システムにおいて、インク吐出用開口部が形成されている面に撥インク層が形成されている記録ヘッドを搭載していることを特徴とする画像形成システム。
【請求項２０】
請求項１９に記載の撥インク層は、フッ素系材料、あるいは、シリコーン系材料で構成されることを特徴とする画像形成システム。
【請求項２１】
請求項１４、１６ないし２０のいずれかに記載の画像形成システムに使用する記録液滴は、少なくとも水、着色剤、及び湿潤剤を含有するインクであることを特徴とする画像形成システム。
【請求項２２】
請求項２１に記載のインクは、２５℃における表面張力が１５〜４０ｍＮ／ｍであることを特徴とする画像形成システム。
【請求項２３】
請求項１４、１６ないし２２のいずれかに記載の画像形成システムに使用するインクは、請求項２２に記載するインクを充填したインクカートリッジから供給されることを特徴とする画像形成システム。
【請求項２４】
請求項１４、１６ないし２３のいずれかに記載の画像形成システムに用いられるインクであって、該インクが少なくとも水、着色剤、及び湿潤剤を含有することを特徴とするインク。
【請求項２５】
請求項２４に記載の前記インクが、２５℃における表面張力が１５〜４０ｍＮ／ｍであることを特徴とするインク。
【手続補正２】
【補正対象書類名】明細書
【補正対象項目名】００２６
【補正方法】変更
【補正の内容】
【００２６】
本発明に係る画像形成システムに使用する記録媒体は、支持体と該支持体の少なくとも一方の面に塗工層を有する記録媒体であることが好ましい。この場合、同記録媒体は、２３℃５０％ＲＨにて動的走査吸液計で測定した接触時間１００ｍｓにおけるインクの記録媒体への転移量が４〜１５ｍｌ／ｍ２であり、かつ接触時間４００ｍｓにおけるインクの記録媒体への転移量が７〜２０ｍｌ／ｍ２である構成とできる。
【手続補正３】
【補正対象書類名】明細書
【補正対象項目名】００２７
【補正方法】変更
【補正の内容】
【００２７】
また、同記録媒体は、少なくとも基材と塗工層から構成されており、該塗工層の固形分付着量が０．５〜２０．０ｇ／ｍ２である構成とできる。
【手続補正４】
【補正対象書類名】明細書
【補正対象項目名】００２８
【補正方法】変更
【補正の内容】
【００２８】
また、本発明に係る画像形成システムにおいては、インク吐出用開口部が形成されている面に撥インク層が形成されている記録ヘッドを搭載していることが好ましい。この場合、撥インク層は、フッ素系材料、あるいは、シリコーン系材料で構成されることが好ましい。
【手続補正５】
【補正対象書類名】明細書
【補正対象項目名】００２９
【補正方法】変更
【補正の内容】
【００２９】
また、本発明に係る画像形成システムにおいて使用する記録液滴は、少なくとも水、着色剤、及び湿潤剤を含有するインクである構成とできる。このインクは、２５℃における表面張力が１５〜４０ｍＮ／ｍであることが好ましい。また、インクは、インクを充填したインクカートリッジから供給されることが好ましい。